(57)【要約】      （修正有）【課題】ロックの解除操作を容易にした警察官などが使用する伸縮棒を提供する。【解決手段】伸縮自在に先端筒１を元筒３に嵌め合せた伸縮棒であって、前記先端筒１の後端側に設けられたガイド部材５と、前記ガイド部材を貫通する貫通穴７と、前記ガイド部材に、軸心と直交方向に設けられたガイド溝１１と、前記ガイド溝に装着され、前記先端筒１の表面に出没自在なロック板１３と、前記ロック板に設けられたガイド穴１７と、該元筒３の先端側に設けられ、前記ロック板の先端部を嵌合する環状溝２２と、前記貫通穴及び前記ガイド穴に挿入され、前記ロック板を出没させる操作ロッド３２であって、その一端にはロック板を摺動させる解除部３２ｂが設けられ、その他端は前記先端筒の先端部の蓋体、又は、元筒の後端部の蓋２９に固定されている操作ロッドと、を備えている。【選択図】図２
0003153731.tif 000002
【実用新案登録請求の範囲】
【請求項１】
伸縮自在に第１棒状体を第２棒状体に嵌め合せた伸縮棒であって、
前記第１棒状体の後端側に設けられたガイド部材と、
前記ガイド部材を貫通する貫通穴と、
前記ガイド部材に、軸心と直交方向に設けられたガイド溝と、
前記ガイド溝に装着され、前記第１棒状体の表面に出没自在なロック板と、
前記ロック板に設けられたガイド穴と、
該第２棒状体の先端側に設けられ、前記ロック板の先端部を嵌合する環状溝と、
前記貫通穴及び前記ガイド穴に挿入され、前記ロック板を出没させる操作ロッドであって、その一端にはロック板を摺動させる解除部が設けられ、その他端は前記第１棒状体の先端部の閉鎖部材、又は、第２棒状体の後端部の閉鎖部材に固定されている操作ロッドと、
を備えていることを特徴とする伸縮棒。
【請求項２】
前記第２棒状体の後端側には、収縮時に前記ロック板の先端部が嵌合する副環状溝が設けられていることを特徴とする請求項１記載の伸縮棒。
【請求項３】
前記副環状溝は、前記先端側の環状溝より浅く形成されていることを特徴とする請求項２記載の伸縮棒。
【請求項４】
前記操作ロッドの解除部は、本体部の先端に設けられた拡径部であり、該拡径部は前記本体部及び拡径部より小径の縮径部に連続していることを特徴とする請求項１、２、又は、３記載の伸縮棒。
【請求項５】
前記第２棒状体の内周面の先端側には、第１棒状体のガイド部材を係止する段部が設けられていることを特徴とする請求項１、２、３、又は、４記載の伸縮棒。
【請求項６】
前記閉鎖部材は、蓋体であることを特徴とする請求項１、２、３、４、又は、５記載の伸縮棒。
【考案の詳細な説明】
【技術分野】
【０００１】
この考案は、警察官やガードマンなどが使用する伸縮棒に関するものである。
【背景技術】
【０００２】
従来の伸縮棒、例えば、警察官の携帯する警棒には、伸縮機構が設けられており、収縮状態で携帯し、使用時には伸張させることができる。
【０００３】
前記伸縮棒として、次のようなものがある。
片持ち状態の板ばねで一端が附勢され、他端が案内部材に沿って移動するロック片を、中央部の孔部にクリアランスをもって差し込んだピンによって先端筒の手元側内部に設けている。前記中筒から先端筒を引き出すと、板バネで押されたロック片の操作部は、開口部から突出し、中筒の先端側端面と対向することにより伸張状態が維持される。このとき、開口部１４と操作部との間に隙間が形成されるように開口部の軸方向の長さを設定している（例えば、特許文献１、参照）。
【０００４】
【特許文献１】特開平０６−３３７１９８号公報
【考案の概要】
【考案が解決しようとする課題】
【０００５】
従来の伸縮棒は、伸張した状態から収縮する際には、内筒に形成した開口部から突出しているロック片の操作部を指で内方に押し込み、その後軸方向へ挿入しなければならない。そのため、ロック片の押し込みと軸方向への押圧との力の加減が必要であり、操作が面倒である。    
【０００６】
この考案は、上記事情に鑑み、ロックの解除操作を容易にすることを目的とする。
【課題を解決するための手段】
【０００７】
伸縮自在に第１棒状体を第２棒状体に嵌め合せた伸縮棒であって、前記第１棒状体の後端側に設けられたガイド部材と、前記ガイド部材を貫通する貫通穴と、前記ガイド部材に、軸心と直交方向に設けられたガイド溝と、前記ガイド溝に装着され、前記第１棒状体の表面に出没自在なロック板と、前記ロック板に設けられたガイド穴と、該第２棒状体の先端側に設けられ、前記ロック板の先端部を嵌合する環状溝と、前記貫通穴及び前記ガイド穴に挿入され、前記ロック板を出没させる操作ロッドであって、その一端にはロック板を摺動させる解除部が設けられ、その他端は前記第１棒状体の先端部の閉鎖部材、又は、第２棒状体の後端部の閉鎖部材に固定されている操作ロッドと、を備えていることを特徴とする。
【０００８】
この考案の前記第２棒状体の後端側には、収縮時に前記ロック板の先端部が嵌合する副環状溝が設けられていることを特徴とする。この考案の前記副環状溝は、前記先端側の環状溝より浅く形成されていることを特徴とする。この考案の前記操作ロッドの解除部は、本体部の先端に設けられた拡径部であり、該拡径部は前記本体部及び拡径部より小径の縮径部に連続していることを特徴とする。
【０００９】
この考案の前記第２棒状体の内周面の先端側には、第１棒状体のガイド部材を係止する段部が設けられていることを特徴とする。この考案の前記閉鎖部材は、蓋体であることを特徴とする。
【考案の効果】
【００１０】
この考案は、以上のように構成したので、操作ロッドを引っ張ると、解除部がガイド穴に嵌まりながらロック板を押し下げ、前記ロック板の先端部と前記環状溝との係合が解除される。このように、操作ロッドの操作により簡単にロックを解除することができる。
【図面の簡単な説明】
【００１１】
【図１】本考案の第１実施形態を示す正面図で、伸張状態を示す図である。
【図２】図１のＩＩ−ＩＩ線断面図で、ロック状態を示す図である。
【図３】解除状態を示す縦断面図である。
【図４】収縮状態を示す正面図である。
【図５】図４のＶ−Ｖ線断面図で、副環状溝にロック板が嵌合している状態を示す図である。
【図６】本考案の第２実施形態を示す縦断面図で、ロック状態を示す図である。
【図７】解除状態を示す縦断面図である。
【考案を実施するための形態】
【００１２】
この考案の第１実施形態を図１〜図５により説明する。
伸縮棒Ｌは、第１棒状体１と、該第１棒状体１が嵌入される第２棒状体３と、を備えている。前記第１棒状体１として、例えば、先端筒が用いられ、又、第２棒状体３として、例えば、元筒が用いられる。
【００１３】
先端筒１の先端部１Ａには、閉鎖部材２が設けられているが、この閉鎖部材として蓋体が用いられる。
前記先端筒１の後端部（元筒側の端部）１Ｂには、ガイド部材５が螺着されている。前記ガイド部材５は、軸心を貫通する貫通穴７を備えており、その後端部側には、大径部９が設けられている。前記大径部９には、軸心Cに対して直交方向に開口するガイド溝１１が設けられ、該ガイド溝１１には、ロック板１３が摺動可能に装着されている。このロック板１３は方形状の板体であり、その先端１３ａは円弧状に形成され、その後端(基端)は、ガイド溝１１の底面に配設されたスプリング１５に圧接している。従って、前記ロック板１３は、常時、外方（軸心Cから離れる方向）に附勢されている。
【００１４】
前記ロック板１３には、ガイド穴１７が設けられている。このガイド穴１７は、貫通穴７と同径に形成され、ロック時には、両者７、１７の軸心はずれるが、解除時には、同心状になる。
なお、前記ロック板１３の形状、大きさ、ばね力の大きさ、ガイド穴１７の大きさ等は、必要に応じて適宜選択される。又、先端筒１の後端部１Ｂにガイド部材５を螺着する代わりに、先端筒１とガイド部材５を一体成形してもよい。
【００１５】
元筒３の径は、先端筒１の径より僅かに大きく形成され、両者が互いに摺動できるようになっている。元筒３の先端部（先端筒１側の端部）３Ａには、ストッパ筒１９が螺着され、段部２０が形成されている。この段部２０には、先端筒１が伸張する際に、大径部９が当接し係止する。
【００１６】
元筒３の先端部３Ａの段部２０から所定間隔をおいて環状溝２２が設けられている。この環状溝２２はロック時に、前記ロック板１３の先端部１３ａが嵌合される溝であり、該ロック板１３が摺動できる大きさに形成されている。この環状溝２２の位置、大きさ、深さ等は必要に応じて適宜選択される。
【００１７】
元筒３の後端部(基端部)３Ｂ側には、副環状溝２４が設けられている。この副環状溝２４は、第１棒状体１を収納したときに、前記ロック板１３が嵌合する溝で、その深さは、前記環状溝２２の深さよりも浅く、例えば、１／２の深さ、に形成されている。そのため、収納保管時に第１棒状体１が抜け出るのを防止できると共に、第１棒状体１を手で引っ張ると、ロック板１３が副環状溝２４から抜け出るので、容易に解除することができる。
【００１８】
元筒３の後端は、閉鎖部材２６により閉鎖されている。この閉鎖部材２６として、例えば、元筒３に螺着される副ガイド部材２８と該副ガイド部材２８を開閉する蓋体２９が用いられる。なお、元筒３の後端部側には、滑り止め３０が設けられている。
【００１９】
元筒３内には、操作ロッド３２が内蔵されている。この操作ロッド３２は、本体部３２ａとその先端側の解除部３２ｂとを備えている。前記解除部３２ｂとして、例えば、本体部３２ａより大径に形成された拡径部、が採用されるが、この拡径部は、中央が円柱状で、その両側が円錐状に形成されている。前記拡径部３２ｂと本体部３２ａとの間には、前記両部３２ａ、３２ｂより小径の縮径部３２ｃが設けられている。
【００２０】
前記操作ロッド３２の先端側は、貫通穴７及びガイド穴１７に挿着され、その後端は、蓋体２９に螺着されている。
尚、３４は操作ロッド３２に設けた止めピン、３６は前記止めピン３４と蓋体２９との間に配設されたばね、をそれぞれ示す。前記蓋体２９は、常時、前記ばね３６により閉蓋方向に附勢されているので、自然に開蓋することが無く、又、蓋体２９を手で握って引っ張ると、簡単に操作ロッド３２を摺動させることができる。
【００２１】
次に、本実施形態の作動について説明する。
伸縮棒の伸張
伸縮棒の先端筒１を手で掴んで引っ張ると、副環状溝２４に嵌合していたロック板１３は前記副環状溝２４から外れるとともに、スプリング１５を押圧してその先端１３ａを元筒３の内周面に当接させるので、前記先端筒１は、元筒３内を摺動できるようになる。
【００２２】
更に、先端筒１を同方向に引っ張ると、ロック板１３が環状溝２２に嵌合し、該ロック板１３の先端１３ａは前記環状溝２２の底壁に当接し、その側面は、環状溝２２の側壁に当接するので、先端筒１は摺動不能となり、ロック状態となる（図１、図２参照）。
この時、先端筒１の大径部９は、元筒３の段部２０に当接するので、仮に、ロック板１３が突出し無いことがあっても、先端筒１の摺動は、この段部２０において確実に阻止される。
なお、ロック板１３の他に、段部２０に係止する大径部９を設けると、先端筒１が急停止する際に発生する衝撃力を前記両者１３、９で分担して受けることになるので、ロック板１３の受ける衝撃力を弱くすることができる。
【００２３】
伸縮棒の収縮保管
伸張状態の伸縮棒を収縮させるときは、図３に示すように、蓋体２９を引っ張ると、操作ロッド３２がガイド部材５の貫通穴７に案内されながら摺動し、解除部３２ｂがガイド穴１７に嵌入される。そうすると、ロック板１３が押し下げられ、ロック板１３の先端１３ａが大径部９の外表面から突出しなくなるので、前記環状溝２２とロック板１３の先端１３ａとの嵌合が解除される。そのため、先端筒１を元筒３に向かって押すと、ロック板１３の先端１３ａを、図３の鎖線で示すように、元筒３の内周面に当接させながら、容易に摺動させることができる。
【００２４】
更に先端筒１を押し込むと、図５に示す様に、ロック板１３の先端１３ａが副環状溝２４に嵌合するので、先端筒１はロックされ、摺動できなくなる。この状態で伸縮棒Ｌは、保管されるが、蓋体２９は、ばね３６の力を受けているので、手を離すと自動的にガイド部材２８に当接し、閉蓋状態となる。
【００２５】
この考案の第２実施形態を図６，図７により説明するが、図１〜図５と同一図面符号は、その名称も機能も同一である。
この実施形態と第１実施形態との相違点は、操作ロッド３２の後端を元筒３の蓋体２９に固定する代わりに、先端筒１の蓋体４２に固定したことである。
【００２６】
この実施態様では、図６に示す様に、ロック時においては、操作ロッド３２の解除部３２ｄは貫通穴７から突出するとともに、ロック板１３の先端１３ａは環状溝２２に嵌合している。
解除時に蓋体４２を掴んで引張ると、操作ロッド３２が摺動し、解除部３２ｄがロック板１３のガイド穴１７に嵌り込む。そうすると、前記ロック板１３が押し下げられ、図７に示すように、ロック板１３の先端１３ａと前記環状溝２２との嵌合が解除されるので、先端筒１の摺動が可能となる。
【００２７】
尚、前記解除部３２ｄは、円柱部の一方に円錐部が設けられている点で前記解除部３２ｂと異なり、前記蓋体４２は、蓋部と摺動支持体部とからなり、該摺動支持体部に操作ロッド３２が固定されている点で、前記第１実施形態の解除部３２ｂ、蓋体２９と異なるが、その機能は、同一である。
【符号の説明】
【００２８】
１      先端筒
３      元筒
５      ガイド部材
７      貫通穴
９      大径部
１１    ガイド溝
１３    ロック板
１７    ガイド穴
２２    環状溝
２４    副環状溝
２６    閉鎖部材
２８    副ガイド部材
２９    蓋体
３２    操作ロッド
３２ｂ  解除部
Ｌ      伸縮棒
【図１】
0003153731.tif 000003
【図２】
0003153731.tif 000004
【図３】
0003153731.tif 000005
【図４】
0003153731.tif 000006
【図５】
0003153731.tif 000007
【図６】
0003153731.tif 000008
【図７】
0003153731.tif 000009